(57)【要約】【課題】信号の出力先が同一である複数の装置を有する電子機器において、接続口及び接続経路の低減を図り、装置構成を簡略化することが可能な電子機器を提供する。【解決手段】本発明のテレビジョン装置１は、テレビジョン装置１の本体に設けられた操作部２２と、操作部２２の出力経路を接続または遮断するマルチプレクサ２１と、ユーザを検出するライトセンサ１３と、ライトセンサ１３による検出結果に基づいて、出力経路を接続または遮断するようマルチプレクサ２１を制御する制御部１１ａと、を有する。制御部１１ａは、ライトセンサ１３を用いてテレビジョン装置１の周辺に存在するユーザを検出し、ユーザが検出された場合に出力経路を接続し、ユーザが検出されない場合に出力経路を遮断するよう、マルチプレクサ２１を制御する。【選択図】図３
2014236497.tif 000002
【特許請求の範囲】
【請求項１】
機器本体に設けられた操作部と、
前記操作部の出力信号の経路である出力経路を接続または遮断する切替部と、
移動体を検出する状態検出部と、
前記状態検出部による検出結果に基づいて、前記出力経路を接続または遮断するよう前記切替部を制御する制御部と、を有すること
を特徴とする電子機器。
【請求項２】
前記制御部は、前記状態検出部を用いて前記電子機器の周辺に存在する移動体を検出し、前記移動体が検出された場合に前記出力経路を接続し、前記移動体が検出されない場合に前記出力経路を遮断するよう、前記切替部を制御すること
を特徴とする請求項１に記載の電子機器。
【請求項３】
前記制御部は、前記状態検出部により前記移動体が検出された場合に、前記移動体の検出時間、検出回数、検出頻度、または検出時間帯に基づいて、前記移動体によって前期操作部が操作される確率を推定し、前記確率が閾値を下回る場合に前記出力経路を遮断すること
を特徴とする請求項２に記載の電子機器。
【請求項４】
前記切替部は、前記操作部の出力信号の経路である第１出力経路と、前記電子機器が有する前記操作部以外の装置である他装置の出力信号の経路である第２出力経路とに接続され、前記制御部からの指示に基づいて、前記第１出力経路及び前記第２出力経路のいずれか一方を接続し、他方を遮断すること
を特徴とする請求項１〜請求項３のいずれかに記載の電子機器。
【請求項５】
前記電子機器は、前記第１出力経路及び前記第２出力経路から電圧信号の入力を受けて変換を行う変換部を有し、
前記切替部は、前記制御部からの指示に基づいて、前記第１出力経路及び前記第２出力経路のいずれか一方を前記変換部に接続すること
を特徴とする請求項４に記載の電子機器。
【請求項６】
前記操作部は、出力信号の電圧を変化させる分圧回路と、前記分圧回路に含まれる温度検出素子と、を含み、
前記制御部は、前記分圧回路により分圧された電圧の変化に基づいて、前記電子機器の調整制御、または温度測定を行うこと
を特徴とする請求項１〜請求項５のいずれかに記載の電子機器。
【発明の詳細な説明】
【技術分野】
【０００１】
本発明は、電子機器に関するものであり、特に機器本体に操作部を有する電子機器に関する。
【背景技術】
【０００２】
近年、電子機器において、機器本体に操作部を有し、この操作部より出力される電圧信号に基づいて動作制御を行う電子機器が実用化されている。また、操作部の他に、温度検出器を有する電子機器が実用化されている。温度検出器は、本体部において異常温度が発生する可能性のある場所に設けられ、素子状の温度ヒューズやサーミスタ等を含むように構成されている。
【０００３】
上記に関連して、温度検出器によりパネル裏面温度や環境温度をモニターし、電源投入後のパネル表面温度に最適な表示駆動条件を設定し、表示動作の異常や誤灯等の不具合を回避するディスプレイ装置が提案されている（例えば特許文献１を参照）。
【先行技術文献】
【特許文献】
【０００４】
【特許文献１】特開２００３−２８０５７２号公報
【発明の概要】
【発明が解決しようとする課題】
【０００５】
通常、操作部や温度検出器が出力する電圧信号は、Ａ／Ｄコンバータに送られてデジタルデータに変換される。しかしながら、Ａ／Ｄコンバータに接続される装置の数が増加するにつれ、Ａ／Ｄポート（＝接続口）の不足や、回路の複雑化につながる。このため、稼働率の低い装置部や優先度の低い装置部は、できる限りＡ／Ｄコンバータに接続しないことが望ましい。
【０００６】
本発明は、上記の問題を解決するためになされたものであって、その目的は、信号の出力先が同一である複数の装置を有する電子機器において、接続口及び接続経路の低減を図り、装置構成を簡略化することが可能な電子機器を提供することにある。
【課題を解決するための手段】
【０００７】
上記目的を達成するために本発明の電子機器は、機器本体に設けられた操作部と、前記操作部の出力信号の経路である出力経路を接続または遮断する切替部と、移動体を検出する状態検出部と、前記状態検出部による検出結果に基づいて、前記出力経路を接続または遮断するよう前記切替部を制御する制御部と、を有することを特徴とする。
【０００８】
この構成によると、電子機器機の周辺に移動体が存在するか否かに応じて、操作部とその出力先との接続／遮断を行い、操作部の有効／無効を切り替える。このため、電子機器周辺の状況に応じて、操作部の有効／無効を切り替えることができる。
【０００９】
また上記目的を達成するために本発明の電子機器は、前記制御部が、前記状態検出部を用いて前記電子機器の周辺に存在する移動体を検出し、前記移動体が検出された場合に前記出力経路を接続し、前記移動体が検出されない場合に前記出力経路を遮断するよう、前記切替部を制御する構成にするとよい。
【００１０】
この構成によると、移動体が存在せず、操作部を動作させる必要性が低いことが推定される状況において、操作部を無効化し、消費電力の低減及び誤動作の防止を図ることができる。
【００１１】
また上記目的を達成するために本発明の電子機器は、前記制御部が、前記状態検出部により前記移動体が検出された場合に、前記移動体の検出時間、検出回数、検出頻度、または検出時間帯に基づいて、前記移動体によって前期操作部が操作される確率を推定し、前記確率が閾値を下回る場合に前記出力経路を遮断する構成にするとよい。
【００１２】
この構成によると、機器本体の周辺に移動体が検出された場合において、無条件に操作部を有効化するのではなく、ユーザが操作部を操作する可能性を考慮して、操作部の有効／無効を切り替えることができる。
【００１３】
また上記目的を達成するために本発明の電子機器は、前記切替部が、前記操作部の出力信号の経路である第１出力経路と、前記電子機器が有する前記操作部以外の装置である他装置の出力信号の経路である第２出力経路とに接続され、前記制御部からの指示に基づいて、前記第１出力経路及び前記第２出力経路のいずれか一方を接続し、他方を遮断する構成にするとよい。
【００１４】
この構成によると、操作部を機能させる必要性が低いことが周辺環境より推定される状況において、操作部の出力先装置の接続口を、他装置の接続口として使用することができる。これにより、出力先装置の接続口の削減を図ることができる。
【００１５】
また上記目的を達成するために本発明の電子機器は、前記第１出力経路及び前記第２出力経路から電圧信号の入力を受けて変換を行う変換部を有し、前記切替部は、前記制御部からの指示に基づいて、前記第１出力経路及び前記第２出力経路のいずれか一方を前記変換部に接続する構成にするとよい。
【００１６】
この構成によると、操作部を機能させる必要性が低いことが周辺環境より推定される状況において、操作部を変換部へ接続する接続経路及び接続口を、他装置を変換部へ接続する接続経路及び接続口として使用することができる。これにより、変換部の接続経路及び接続口の削減を図ることができる。
【００１７】
また上記目的を達成するために本発明の電子機器は、前記操作部が、出力信号の電圧を変化させる分圧回路と、前記分圧回路に含まれる温度検出素子と、を含み、前記制御部は、前記分圧回路により分圧された電圧の変化に基づいて、前記電子機器の調整制御、または温度測定を行う構成にするとよい。
【００１８】
この構成によると、操作部の分圧回路を形成する抵抗の代替として、サーミスタ等の温度検出素子を用いる。これにより、温度変化に応じて操作部の出力信号の電圧を変化させ、この変化に基づいた各種調整、例えば温度変化に応じたバックライトの輝度調整等を実施することが可能である。
【発明の効果】
【００１９】
本発明によれば、ユーザが操作部を操作する確率が低いと推定される場合にのみ操作部を無効化する。このため、操作部による消費電力の低減を図るとともに、ユーザが操作部を使用できない状況を回避することができる。また、ユーザが電子機器の周辺に存在しない状況において、操作部が周辺機器との接触等によって誤動作するのを防止することができる。
【図面の簡単な説明】
【００２０】
【図１】第１の実施形態に係るテレビジョン装置の装置構成を示すブロック図である。
【図２】第１の実施形態に係る切り替え処理に関連する装置の機能構成を示すブロック図である。
【図３】第１の実施形態に係る切り替え処理を示すフロー図である。
【図４】第２の実施形態に係るテレビジョン装置の装置構成を示すブロック図である。
【図５】第２の実施形態に係る切り替え処理に関連する装置の機能構成を示すブロック図である。
【図６】第２の実施形態に係る切り替え処理を示すフロー図である。
【図７】第３の実施形態に係る切り替え処理を示すフロー図である。
【図８】第１の実施形態に係る操作部の回路構成の一部を示す回路図である。
【図９】第３の実施形態に係る操作部の回路構成の一部を示す回路図である。
【図１０】本発明の一実施形態に係るテレビジョン装置の外観斜視図である。
【図１１】本発明の一実施形態に係るテレビジョン装置の縦断面図である。
【発明を実施するための形態】
【００２１】
〈実施の形態１〉
以下に本発明の第１の実施形態を、図面を参照しながら説明する。なお、ここで示す実施形態は一例であり、本発明はここに示す実施形態に限定されるものではない。
【００２２】
〈１−１．装置構成について〉
図１は、本発明のテレビジョン装置１（＝電子機器）の装置構成を示すブロック図である。なお、図１における矢印線は画像／音声データの流れを示している。また、矢印のない直線は、メインＩＣ１１が各装置に対する制御信号等を送受信するための通信バスを示している。
【００２３】
テレビジョン装置１は少なくとも、メインＩＣ１１、メモリ１２、ライトセンサ１３（＝光感知器、状態検出部）、放送受信部１４、信号処理部１５、ＯＳＤ（On-Screen Display）処理部１６、ディスプレイ１７、マルチプレクサ２１（＝切替部）、操作部２２、及び温度検出器２３（＝他装置）を含むように構成されている。
【００２４】
メインＩＣ１１は、テレビジョン装置１の各部の駆動を制御することにより、画像／音声の再生処理、記録処理、出力処理等を統括制御するためのものである。メインＩＣ１１は例えば、複数のマイクロプロセッサから構成されている。
【００２５】
メモリ１２は、テレビジョン装置１が保持する各種データを一時的に記録する媒体であり、例えば書き込み可能なＲＡＭ（Random Access Memory）等により構成されている。メモリ１２は、例えばメインＩＣ１１によって各種情報処理が行われる際の処理データや、ユーザから受けた指示命令等を一時的に記録しておくためのバッファメモリとしての役割を持つ。
【００２６】
ライトセンサ１３は、受光素子を備え、受光素子に対する入射光の強度に応じて出力電圧を増減させる。ライトセンサ１３は、定期的に入射光の変化を検出し、検出結果をメインＩＣ１１へ送出する。メインＩＣ１１は、この検出結果に基づいて各種調整（例えばディスプレイ１７の輝度調整等）を実施する
【００２７】
なお、本実施形態のライトセンサ１３は、後述する切り替え処理において、テレビジョン装置１に接近する移動体を、入射光の変動を利用して検出するのにも用いられる。
【００２８】
放送受信部１４は、外部のアンテナ（不図示）に接続されてデジタル放送の選局、受信、周波数変換、増幅、復調等を行う。放送受信部１４は、デジタルチューナ、及び誤り訂正部等を含むように構成されている。
【００２９】
放送受信部１４に含まれるデジタルチューナは、中間周波信号の増幅及び検波を行う。これにより、ＭＰＥＧ２方式のデジタル信号であるＴＳ（＝Transport Stream）の取得を行う。
【００３０】
なおＴＳとは、複数のコンテンツの音声ＰＥＳ（Packetized Elementary Stream）、画像ＰＥＳ、及び付加情報を固定長のＴＳパケットに分割してつなぎ合わせたものである。放送受信部１４へ与えられて画像／音声信号に変換される。なお、ＴＳを変換せずＨＤＤ１５へ記録することも可能である。この場合、放送受信部１４はＴＳのスルーのみを行う。
【００３１】
信号処理部１５は、放送受信部１４が生成したＴＳや、光ディスクドライブ１６が光ディスクより読み出したデジタルデータを入力し、音声情報を含む音声デジタル信号と、画像情報を含む画像デジタル信号とに分離する多重分離部である。具体的には例えば、放送受信部１４より生成されたＴＳを、ＴＳパケットに分割する。そしてＴＳパケットを再結合することにより、音声／画像のＰＥＳを生成する。
【００３２】
そしてＰＥＳを結合することにより、ＥＳ（Elementary Stream＝符号化された音声／画像データ）を生成する。さらに信号処理部１５はＥＳの復号を行い、各種デジタル信号に変換する。復号により得られたデジタル信号は、ＯＳＤ処理部１６またはディスプレイ１７へ出力される。
【００３３】
ＯＳＤ処理部１６は、画像信号を生成する機能部である。ＯＳＤ処理部１６は、テレビジョン装置１が出力すべき情報をユーザが視認できる画像データに変換し、変換した画像データをディスプレイ１７に表示するための画像信号を生成する。生成された画像信号は、ディスプレイ１７へ出力される。
【００３４】
ディスプレイ１７は、例えば液晶パネル及びバックライト（共に不図示）を有する表示装置である。ディスプレイ１７は、信号処理部１５またはＯＳＤ処理部１６より画像信号が入力されることにより、画像の出力を行う。
【００３５】
マルチプレクサ２１は、複数の信号を入力し、信号の選択または合成等を行って、一つの信号を出力する。本実施形態のマルチプレクサ２１は、操作部２２及び温度検出器２３から電圧信号が入力され、このいずれか一方の電圧信号を出力する。
【００３６】
これにより、操作部２２と後述するＡ／Ｄコンバータ１１ｂ（図２に図示）とを接続する経路（＝第１出力経路）、及び温度検出器２３とＡ／Ｄコンバータ１１ｂとを接続する経路（＝第２出力経路）のいずれか一方のみを確立する、切り替え処理を行う。なおマルチプレクサ２１は、後述する制御部１１ａ（図２に図示）から入力される制御信号に基づいて、この切り替え処理を行う。
【００３７】
操作部２２は、ユーザがテレビジョン装置１に対して、電源の起動／停止や選局等を行うためのものである。操作部２２は、例えばテレビジョン装置１のハウジングに設けられた複数の操作キー（不図示）を含む。操作部２２はこれらの操作キーにより、ユーザ操作を受け付ける。ユーザ操作が受け付けられると、メインＩＣ１１は、操作内容に応じて電源起動処理や選局処理等を行う。
【００３８】
温度検出器２３は、テレビジョン装置１の内部または外部の温度変化を検出し、検出結果をメインＩＣ１１へ送出する。これにより、ディスプレイ１７の色補正、電源制御、異常検出等を行い、テレビジョン装置１（特にディスプレイ１７）の安定性を向上させる。
【００３９】
〈１−２．接続経路の構成ついて〉
ここで、本発明の第１の実施形態に係るメインＩＣ１１の機能構成、及びメインＩＣ１１に対する接続経路の構成を、図２のブロック図を用いながら説明する。図２は、本発明のメインＩＣ１１に接続される装置を抽出して模式的に表したブロック図である。
【００４０】
図２において、制御部１１ａは、ライトセンサ１３よりセンサデータを読み込む。そしてセンサデータの解析を行い、解析結果に基づいて、マルチプレクサ２１に対する切り替え制御を行う。これにより、操作部２２及び温度検出器２３より出力される電圧信号（以下、「出力信号」という）のいずれか一方が、Ａ／Ｄコンバータ１１ｂ（＝変換部）に入力される。
【００４１】
Ａ／Ｄコンバータ１１ｂは、操作部２２または温度検出器２３から入力される出力信号のアナログ／デジタル変換を行い、デジタルデータを生成する。
【００４２】
操作部２２は、例えば図１０に示すように、抵抗Ｒ１〜Ｒ４がラダー的に接続されている。抵抗Ｒ１〜Ｒ４により分圧された電圧は、スイッチＳｗ１〜Ｓｗ３を介して、操作部２２の出力端子Ｖｏｕｔより出力される。
【００４３】
スイッチＳｗ１〜Ｓｗ３のオン／オフは、所定の操作キーの押下／非押下に対応している。このため、押下された操作キーの種別に応じて、出力端の電圧が変化する。Ａ／Ｄコンバータ１１ｂは、この電圧の変化に基づいて、いずれの操作キーが押下されたかを判別し、判別結果を示すデジタルデータを生成する。
【００４４】
温度検出器２３は、検出された温度に応じて、出力信号の電圧が変化する。Ａ／Ｄコンバータ１１ｂは、この電圧の変化に基づいて、検出温度を示すデジタルデータを生成する。
【００４５】
〈１−３．切り替え処理について〉
ここで、本発明の第１の実施形態に係るメインＩＣ１１が実施する切り替え処理について、説明する。
【００４６】
制御部１１ａは、テレビジョン装置１の電源投入時において、操作部２２をＡ／Ｄコンバータ１１ｂに接続（以下、これを「有効化」という）する。電源投入後、ユーザがテレビジョン装置１の視聴を開始すると、制御部１１ａは温度検出器２３を有効化し、操作部２２をＡ／Ｄコンバータ１１ｂから遮断（以下、これを「無効化」という）する。
【００４７】
ユーザが操作部２２を操作しようとし、テレビジョン装置１に近づいた場合、ライトセンサ１３に対する入射光が増減する。例えば、ユーザがテレビジョン装置１の周辺光を遮った場合、入射光が減少する。一方、ディスプレイ１７に含まれるバックライトの出力光がユーザにより反射された場合、入射光が増加する。
【００４８】
上記のような要因によりライトセンサの出力信号のレベルが変動した場合、制御部１１ａは、マルチプレクサ２１に対して切り替え制御を行う。これにより、操作部２２を有効化し、温度検出器２３を無効化し、操作部２２による操作を待ち受ける状態とする。
【００４９】
なお、ライトセンサの出力信号のレベルが変動したとしても、これが所定の条件を満たさない場合は、切り替え制御を行わない形態でもよい。例えば、出力信号のレベルが変動した時間の長さ、変動した回数、変動する頻度、変動が検出された時間帯等に基づく条件を予め設定しておき、この条件を満たさない場合は、切り替えを行わない形態でもよい。
【００５０】
これにより、例えば移動体が一時的に検出された場合、例えばユーザがテレビジョン装置１に近づいて即座に離れた場合等、切り替え制御を行う必要性が低いと推定される状況において、不要な切り替え制御が発生するのを回避できる。
【００５１】
制御部１１ａが上記の切り替え制御を行った後、所定時間の間、操作部２２に対する操作がなされなかった場合、再度、操作部２２を無効化するとともに、温度検出器２３を有効化する。
【００５２】
次に、以上に説明した切り替え処理の処理フローを、図３のフロー図を用いながら説明する。なお図３に示す処理は、テレビジョン装置１の電源が起動された時点で開始される。
【００５３】
本処理の開始後、制御部１１ａはステップＳ１１０において、操作部２２を有効化し、温度センサ２３を無効化するよう、マルチプレクサ２１の切り替え制御を行う。
【００５４】
次に、制御部１１ａはステップＳ１２０において、ライトセンサ１３によるデータ取得を行う。つまり、ライトセンサ１３に含まれる受光素子への入射光に応じて変動するライトセンサ１３の出力信号を取得し、この出力信号を解析する。これにより、入射光の強さを判定する。
【００５５】
次に、制御部１１ａはステップＳ１３０において、ディスプレイ１７に含まれるバックライトモジュール１１２（後述する図１１に図示）の明度設定を行う。
【００５６】
次に、制御部１１ａはステップＳ１４０において、操作部２２を無効化し、温度センサ２３を有効化するよう、マルチプレクサ２１の切り替え制御を行う。
【００５７】
次に、制御部１１ａはステップＳ１５０において、ライトセンサ１３の出力信号の大きさが変化した、つまり入射光の強さが変化したことが検出されたか否かを判定する。変化が検出されていない場合、再びステップＳ１５０へ移行し、継続してライトセンサ１３の出力信号を監視する。
【００５８】
一方、変化が検出された場合、制御部１１ａはステップＳ１６０において、操作部２２を有効化し、温度センサ２３を無効化するよう、マルチプレクサ２１の切り替え制御を行う。
【００５９】
次に、制御部１１ａはステップＳ１７０において、ステップＳ１６０の切り替え制御を行ってから所定時間の間、操作部２２に対するユーザ操作が検出されたか否かを判定する。所定時間の間に操作が検出された場合、再びステップＳ１７０へ移行し、継続してキー操作を監視する。
【００６０】
一方、所定時間を経過しても操作部２２に対するユーザ操作が検出されなかった場合、制御部１１ａはステップＳ１８０において、ライトセンサ１３に対して、通常動作を開始するよう制御する。つまり、ライトセンサ１３により定期的に入射光の変化を検出し、検出結果に基づいて各種調整（例えばディスプレイ１７の輝度調整）を実施する処理を開始する。
【００６１】
ライトセンサ１３の通常動作が開始されると、再びステップＳ１４０に移行し、切り替え処理を継続して行う。なお本処理フローは、例えばテレビジョン装置１の電源が停止された場合等に、終了する。
【００６２】
〈１−４．テレビジョン装置の外観及び内観について〉
以上に説明したテレビジョン装置１の外観及び内観について、図１０及び図１１を用いて説明する。なお、以下では、テレビジョン装置１の画像が表示される側を前側と呼び、その反対側を裏側とよぶ。
【００６３】
図１０は、テレビジョン装置１の外観斜視図である。図１１は、テレビジョン装置１の縦断面図である。図１０に示すように、テレビジョン装置１は、テレビジョン装置本体１０１（＝機器本体）と、スタンド１０２と、操作キー１０３と、センシング部１０４（＝状態検出部）とを備えている。
【００６４】
また、図１１に示すように、テレビジョン装置本体１０１は、液晶パネル１１１と、エッジライト方式のバックライトモジュール１１２と、制御基板１１３と、これらを収容するキャビネット１１４と、を有している。
【００６５】
液晶パネル１１１は、その背後のバックライトモジュール１１２から照射される光の透過率を制御し、またその光を反射し、所定の画像を液晶パネル１１１の前面（図１１では左側の主面）に表示する。
【００６６】
バックライトモジュール１１２は、液晶パネル１１１の背後に配置され、所定の画像を表示させるための光を液晶パネル１１１に照射する照明装置である。
【００６７】
本実施形態では、操作キー１０３は、図１に示した操作部２２に含まれる操作キーの一部である。またセンシング部１０４は、図１に示したライトセンサ１３を含んでおり、テレビジョン装置１の正面に接近したユーザを検出するのに用いられる。
【００６８】
〈１−５．本実施形態の特徴について〉
以上に説明した第１の実施形態では、テレビジョン装置１の本体に設けられた操作部２２と、操作部２２の出力経路を接続または遮断するマルチプレクサ２１と、ユーザを検出するライトセンサ１３と、ライトセンサ１３による検出結果に基づいて、出力経路を接続または遮断するようマルチプレクサ２１を制御する制御部１１ａと、をテレビジョン装置１が有する。
【００６９】
また第１の実施形態では、制御部１１ａは、ライトセンサ１３を用いてテレビジョン装置１の周辺に存在するユーザを検出し、ユーザが検出された場合に出力経路を接続し、ユーザが検出されない場合に出力経路を遮断するよう、マルチプレクサ２１を制御する。
【００７０】
また第１の実施形態では、制御部１１ａは、ライトセンサ１３によりユーザが検出された場合に、ユーザの検出時間、検出回数、検出頻度、または検出時間帯に基づいて、ユーザによって操作部２２が操作される確率を推定し、この確率が閾値を下回る場合に操作部２２の出力経路を遮断する。
【００７１】
これにより、操作部２２を有効化する条件を設ける。つまり、ユーザがテレビジョン装置１の近傍に存在するが、操作部２２を使用する確率が低いと推定される場合は、操作部２２を無効化する。このため、上記の状況下において、省電力を図ることができる。また、ユーザの意図しない要因、例えばテレビジョン装置１周辺の物体が操作キーに接触する等により押下されたとしても、これを無効化することができる。このため、テレビジョン装置１の誤動作を防止することができる。
【００７２】
また第１の実施形態では、マルチプレクサ２１は、操作部２２の出力信号の経路である第１出力経路と、テレビジョン装置１が有する操作部２２以外の装置である温度検出器２３の出力信号の経路である第２出力経路とに接続され、制御部１１ａからの指示に基づいて、第１出力経路及び第２出力経路のいずれか一方を接続し、他方を遮断する。
【００７３】
また第１の実施形態では、操作部２２及び温度検出器２３から電圧信号の入力を受けて変換を行うＡ／Ｄコンバータ１１ｂを有し、マルチプレクサ２１は、制御部１１ａからの指示に基づいて、操作部２２及び温度検出器２３のいずれか一方をＡ／Ｄコンバータ１１ｂへ接続する。
【００７４】
これにより、操作部２２及びＡ／Ｄコンバータ１１ｂを接続する接続ポートと、温度検出器２３及びＡ／Ｄコンバータ１１ｂを接続する接続ポートとを兼用できる。このため、装置構成の簡略化を図ることができる。
【００７５】
＜実施の形態２＞
次に、本発明の第２の実施形態を、図面を参照しながら説明する。なお第２の実施形態は、ユーザの検出方法、及び接続経路の切り替え方法が、実施の形態１と異なることを特徴とする。
【００７６】
〈２−１．装置構成について〉
本実施形態のテレビジョン装置１は、第１の実施形態の構成（図１）に加え、カメラ１８（＝撮像装置、状態検出部）を備えている。カメラ１８は、例えば図１０に示したセンシング部１０４に含まれ、テレビジョン装置１の正面の環境を撮像するのに用いられる。
【００７７】
また本実施形態のテレビジョン装置１は、第１の実施形態のマルチプレクサ２１を有さず、操作部２２及び温度検出器２３の両方がメインＩＣ１１に接続されている。
【００７８】
〈２−２．接続経路の構成ついて〉
ここで、本発明の第２の実施形態に係るメインＩＣ１１の接続経路の構成を、図５のブロック図を用いながら説明する。図５は、本発明のメインＩＣ１１に接続される装置を抽出して模式的に表したブロック図である。
【００７９】
図２において、メインＩＣ１１は、カメラ１８より撮像画像データを読み込む。そして撮像画像データの解析を行い、解析結果に基づいて、切替処理部１１ｃ（＝切替部）による切り替え処理を行う。これにより、操作部２２及び温度検出器２３から入力される電圧信号のいずれか一方を有効化し、他方を無効化する。
【００８０】
切替処理部１１ｃは、操作部２２及び温度検出器２３から電圧信号の入力を常時受け付けるが、このいずれか一方のみを制御部１１ａに伝えるため、内部的な機能切り替えを行う。つまり切替処理部１１ｃは、入力された電圧信号の処理方法が異なる複数の機能を備える。この機能を制御部１１ａからの指示により切り替えることにより、切替処理部１１ｃの出力を変更することが可能である。
【００８１】
〈２−３．切り替え処理について〉
ここで、本発明の第２の実施形態に係るテレビジョン装置１が実施する切り替え処理の処理フローを、図６のフロー図を用いながら説明する。なお図３と同一の処理については、同一のステップ番号を付与することにより、説明を省略するものとする。
【００８２】
本処理フローでは、図３におけるライトセンサ１３に関連する処理（ステップＳ１２０、ステップＳ１８０）を実施せず、代わりにステップＳ１５１において、カメラ１８による撮像処理を実施する。なお、カメラ１８の撮像方法としては、例えば定期的に静止画を撮像する形態でもよいし、常に動画を撮像する形態でもよい。
【００８３】
次に、制御部１１ａはステップＳ１５２において、カメラ１８により撮像された画像の解析処理を行う。これにより、撮像画像に含まれている移動体、例えばテレビジョン装置１の近傍に存在するユーザを抽出する。
【００８４】
次に、制御部１１ａはステップＳ１５３において、撮像画像から移動体の抽出に成功し、且つ撮像画像において移動体の占める割合が、所定の閾値を超えるかを判定する。つまり、テレビジョン装置１から所定距離の範囲内まで、移動体が接近しているか否かを判定する。
【００８５】
撮像画像に移動体が含まれていない場合、或いは移動体が占める割合が所定の閾値を超えない場合、再びステップＳ１５２へ移行し、継続して撮像画像の解析及び移動体の抽出を行う。
【００８６】
一方、撮像画像において移動体の占める割合が所定の閾値を超える場合、制御部１１ａはステップＳ１６０、及びステップＳ１７０へ移行する。なお、ステップＳ１５３において、上記の判定を複数回実施し、閾値を超えた回数が所定回数に達した場合にのみ、ステップＳ１６０へ移行する形態でもよい。
【００８７】
本処理フローは、第１の実施形態と同様、例えばテレビジョン装置１の電源が停止された場合等に、終了する。
【００８８】
〈２−４．テレビジョン装置の外観及び内観について〉
第１の実施形態と同じ構成であるため、ここでは説明を省略する。
【００８９】
〈２−５．本実施形態の特徴について〉
以上に説明した第２の実施形態では、画像を撮像するカメラ１８により周辺環境の状態を検出し、制御部１１ａは、カメラにより撮像された画像の解析結果に基づいて、テレビジョン装置１の周辺に存在するユーザを検出する。
【００９０】
これにより、カメラ１８を内蔵するモデルのテレビジョン装置１において、これを利用してテレビジョン装置１の周辺に存在するユーザを検出し、この検出結果に応じて切り替え処理を行うことが可能である。
【００９１】
＜実施の形態３＞
次に、本発明の第３の実施形態を、図面を参照しながら説明する。なお第３の実施形態は、操作部２２が温度検出素子を含むことを特徴とする。
【００９２】
〈３−１．装置構成について〉
第１の実施形態と同じ構成であるが、操作部２２の機能が一部異なる。本実施形態の操作部２２は、操作キーを構成する抵抗の一部が、サーミスタ等の温度検出素子となっている。これにより、温度に応じて操作部２２の出力電圧に変化を生じさせ、その変化を制御部１１ａが検出する。
【００９３】
温度検出素子を用いることにより、操作キーが押下された場合における出力電圧の出力レンジを、細かく設定することが可能である。制御部１１ａは、この出力電圧より取得したデータを用いることにより、操作部２２の動作時の電圧に対して発生した温度ドリフトを検出する。そして検出した温度ドリフトに基づき、種々の補正を実施する。
【００９４】
例えば、温度ドリフトに基づき、ディスプレイ１７の色調補正を実施する。また例えば、操作部２２が押下された場合に、通常の電圧と温度変化の影響を受けた電圧との差異から、温度検出器２３が検出した温度の補正を行うことも可能である。
【００９５】
また温度検出素子を用いることにより、制御部１１ａは、操作部２２のみで温度測定を実施することも可能である。これは、移動体が検出されていない状態において、疑似的に操作部２２が押下された状態（以下、「疑似押下状態」という）とする構成を用いることにより、可能である。
【００９６】
より具体的には、例えば図１１に示すように、スイッチＳｗ１の入力端及び出力端に接続されたトランジスタＴｒを設ける。トランジスタＴｒのベースは、入力端子Ｖ１により、制御部１１ａに接続されている。制御部１１ａはトランジスタＴｒのベースに流れる電流を制御することにより、操作部２２が押下されていない状態において、疑似押下状態を作り出すことが可能である。
【００９７】
上記の構成により、移動体が検出されていない状態において、疑似押下状態を作り出し、操作部２２に含まれる温度検出素子からの出力電圧をＡ／Ｄコンバータ１１ｂへ入力させる。これにより、温度を測定することが可能である。
【００９８】
なお、疑似押下状態において制御部１１ａは、操作部２２より得られる出力電圧を、通常の出力電圧（操作部２２が押下されることにより出力される電圧）とは異なるものとして扱う。つまり、疑似押下状態では、操作部２２より得られる出力電圧に基づいた選局処理や音量調整処理等を、全て無効化する。これにより、テレビジョン装置１の誤動作を防止する。
【００９９】
〈３−２．接続経路の構成ついて〉
第１の実施形態と同じ構成であるため、ここでは説明を省略する。
【０１００】
〈３−３．切り替え処理について〉
ここで、本発明の第３の実施形態に係るテレビジョン装置１が実施する切り替え処理の処理フローを、図７のフロー図を用いながら説明する。なお図３と同一の処理については、同一のステップ番号を付与することにより、説明を省略するものとする。
【０１０１】
本実施形態では、図３における温度センサ１３に関連する処理（例えばステップＳ１１０等）を実施しない。代わりに、制御部１１ａはステップＳ１１１において、操作部２２を有効化するよう、マルチプレクサ２１の切り替え制御を行う。
【０１０２】
次にステップＳ１２０及びステップＳ１３０の実施後、制御部１１ａはステップＳ１４１において、操作部２２を無効化し、疑似押下状態を有効化するよう、操作部２２を制御する。これにより、操作部２２に含まれる温度検出素子により、温度測定が可能な状態となる。
【０１０３】
次に、制御部１１ａはステップＳ１５０において、ライトセンサ１３の出力信号のレベルが変動したことが検出されたか否かを判定する。変動が検出されていない場合、再びステップＳ１５０へ移行し、継続してライトセンサ１３の出力信号を監視する。
【０１０４】
一方、変動が検出された場合、制御部１１ａはステップＳ１６１において、操作部２２を有効化し、疑似押下状態を無効化するよう、操作部２２の制御を行う。これにより、操作部２２に含まれる温度検出素子による温度測定を停止する。
【０１０５】
ステップＳ１６１の実施後、ステップＳ１７０以降の処理を実施する。なお本処理フローは、第１の実施形態と同様、例えばテレビジョン装置１の電源が停止された場合等に、終了する。
【０１０６】
〈３−４．テレビジョン装置の外観及び内観について〉
第１の実施形態と同じ構成であるため、ここでは説明を省略する。
【０１０７】
〈３−５．本実施形態の特徴について〉
以上に説明した本実施形態によれば、操作部２２は、出力信号の電圧を変化させる分圧回路と、この分圧回路に含まれるサーミスタと、を含み、制御部は、分圧回路により分圧された電圧の変化に基づいて、テレビジョン装置１の調整制御、または温度測定を行う。
【０１０８】
これにより、操作部２２の動作時の電圧に対して発生した温度ドリフトに基づき、種々の調整を実施することが可能である。また、操作部２２を用いた温度測定が可能である。
【０１０９】
［その他の実施の形態］
以上、好ましい実施の形態及び実施例をあげて本発明を説明したが、本発明は必ずしも上記実施の形態に限定されるものではなく、その技術的思想の範囲内において様々に変形して実施することができる。
【０１１０】
従って本発明は、以下の形態にも適用可能である。
【０１１１】
（Ａ）上記実施形態では、本発明の切り替え処理を実施する電子機器としてテレビジョン装置１を例に説明しているが、これ以外の電子機器において本発明の切り替え処理を実施する形態でもよい。例えば、ＨＤＤレコーダ等の記録再生装置や、ＳＴＢ（Set Top Box)等の受信装置で実施する形態でもよい。
【０１１２】
（Ｂ）上記実施形態では、移動体、例えばユーザを検出するための装置としてライトセンサ１３、及びカメラ１８を例示しているが、これ以外の装置を用いてユーザを検出する形態でもよい。例えば、ディマーセンサ、赤外線センサ、レーザーセンサ、超音波センサ等を用いてユーザを検出する形態でもよい。
【符号の説明】
【０１１３】
１    テレビジョン装置（電子機器）
１１    メインＩＣ
１１ａ    制御部
１１ｂ    Ａ／Ｄコンバータ（変換部）
１１ｃ    切替処理部（切替部）
１２    メモリ
１３    ライトセンサ（光感知器、状態検出部）
１４    放送受信部
１５    信号処理部
１６    ＯＳＤ処理部
１７    ディスプレイ
１８    カメラ（撮像装置、状態検出部）
２１    マルチプレクサ（切替部）
２２    操作部
２３    温度検出器（他装置）
１０１    テレビジョン装置本体（機器本体）
１０２    スタンド
１０３    操作キー
１０４    センシング部（状態検出部）
１１１    液晶パネル
１１２    バックライトモジュール
１１３    制御基板
１１４    キャビネット
【図１】
2014236497.tif 000003
【図２】
2014236497.tif 000004
【図３】
2014236497.tif 000005
【図４】
2014236497.tif 000006
【図５】
2014236497.tif 000007
【図６】
2014236497.tif 000008
【図７】
2014236497.tif 000009
【図８】
2014236497.tif 000010
【図９】
2014236497.tif 000011
【図１０】
2014236497.tif 000012
【図１１】
2014236497.tif 000013